(57)【要約】【課題】頸部支持部材に対するフィット感が常に得られ、被洗髪者が不快感や苦痛を感じることがなく、例えばハンドシャワーで洗髪する場合などに、洗髪の邪魔にならない頸部支持部材を備えた洗髪ボール装置を提供する。【解決手段】洗髪ボール１における被洗髪者の首後ろ部を載せる部位に凹み部１１を形成し、この凹み部１１に、前記被洗髪者の首後ろ部を載せる頸部支持部材２１と、前記頸部支持部材２１と前記凹み部１１との間に設けられ、前記凹み部１１に対して上方に付勢されるばね部材２２とを備えた。【選択図】図２
2010178980.tif 000002
【特許請求の範囲】
【請求項１】
洗髪ボールにおける被洗髪者の首後ろ部を載せる部位に凹み部を形成し、この凹み部に、前記被洗髪者の首後ろ部を載せる頸部支持部材と、前記頸部支持部材と前記凹み部との間に設けられ、前記凹み部に対して上方に付勢されるばね部材とを備えたことを特徴とする洗髪ボール装置。
【請求項２】
前記凹み部の底面部に前記ばね部材を支持する座を設け、この座に対して下端を支持したばね部材の上端を、前記頸部支持部材の内下面に設けた座に支持したことを特徴とする請求項１に記載の洗髪ボール装置。
【発明の詳細な説明】
【技術分野】
【０００１】
本発明は、洗髪ボールにおける被洗髪者の首後ろ部を弾力的に支える頸部支持部材を備えた洗髪ボール装置に関する。
【背景技術】
【０００２】
従来における洗髪ボール装置としては、例えば、特許文献１に開示されている発明がある。この発明における洗髪ボールは、洗髪ボールにおける被洗髪者の首後ろ部を弾力的に支える構造として、洗髪ボールにおける縁に頭部支持部材を配置している。この頭部支持部材は、被洗髪者の頭部と当接する頭部受けと、被洗髪者の頸部と当接する頸部受けとを備え、各受けはジェルや発泡材等のクッション材をウレタン等で覆って形成されている。
【０００３】
この種の頭部支持装置にあっては、椅子の背凭れを伏倒して被洗髪者の頭部を頭部支持部材に位置させると、被洗髪者の後頭部は頭部受けに当接し、また、被洗髪者の首後ろ部は頸部受けに載置される。この時、被洗髪者の後頭部と首後ろ部との高低差あるいは形状における個人差があった場合には、頭部受けと頸部受けとが独立して回動するので、高低差や個人差があっても頭部受けは後頭部にフィットし、また、頸部受けは首後ろ部にフィットした状態となるので、被洗髪者が不快感や苦痛を感じることなく快適な洗髪姿勢で洗髪を受けることが可能となる。
【特許文献１】特開２００７−１５９６７４
【発明の開示】
【発明が解決しようとする課題】
【０００４】
しかしながら、従来の構成であっても、十分なフィット感が得られない場合があり、このような場合には、椅子の昇降や背凭れの角度の調整などで位置関係を微調整するなどの面倒な作業が必要であった。
【０００５】
そこで、本発明の目的は、上述した従来の技術が有する課題を解消し、頸部支持部材に対するフィット感が常に得られ、被洗髪者が不快感や苦痛を感じることがなく、例えばハンドシャワーで洗髪する場合などに、洗髪の邪魔にならない頸部支持部材を備えた洗髪ボール装置を提供することにある。
【課題を解決するための手段】
【０００６】
上記目的を達成するため、本発明は、洗髪ボールにおける被洗髪者の首後ろ部を載せる部位に凹み部を形成し、この凹み部に、前記被洗髪者の首後ろ部を載せる頸部支持部材と、前記頸部支持部材と前記凹み部との間に設けられ、前記凹み部に対して上方に付勢されるばね部材とを備えたことを特徴とする。
この場合において、前記凹み部の底面部に前記ばね部材を支持する座を設け、この座に対して下端を支持したばね部材の上端を、前記頸部支持部材の内下面に設けた座に支持する構成としてもよい。
【０００７】
この種の洗髪ボールでは、例えば、被洗髪者が椅子の背凭れを倒して仰向けになった場合、被洗髪者の首後ろ部が頸部支持部材に当接する。この場合、椅子の背凭れに当接する身体部分と首後ろ部との間には高低差があり、この高低差は人によって異なるため、首後ろ部に荷重がかかり過ぎる恐れがある。
本発明では、例えば椅子の背凭れを伏倒して被洗髪者の頸部を頸部支持部材に位置させると、被洗髪者の頸部の重みに応じて前記ばね部材が伸縮し、これによって頸部支持部材が上下する。この上下によって、頸部支持部材は首後ろ部にフィットした状態となるので、被洗髪者が不快感や苦痛を感じることなく快適な洗髪姿勢で洗髪を受けることが可能となる。前記ばね部材のばね力は、被洗髪者の頸部を載せた状態で該頸部を安定的に支持するばね力に設定され、少なくともばね部材が、縮みきってしまうことがないように設定することが望ましい。また、例えばハンドシャワーで洗髪する場合、被洗髪者の後頭部を手で支持して行うが、後頭部から手を離しても頸部を十分支持できる程度の大きさのばね力が必要なことは云うまでもない。
本発明では、背凭れに当たる部分と首後ろ部との間の高低差に個人差があった場合であっても、頸部支持部材がばね力に抗して沈み込む、あるいは浮上するため、高低差や個人差があっても頸部支持部材は後頸部に安定的にフィットし、被洗髪者が不快感や苦痛を感じることなく、快適な洗髪姿勢で洗髪を受けることが可能となる。
【発明の効果】
【０００８】
本発明では、被洗髪者の頸部を頸部支持部材に位置させると、被洗髪者の頭部の重みに応じて前記ばね部材が伸縮し、頸部支持部材が適宜上下するため、頸部支持部材は被洗髪者の首後ろ部にフィットするので、被洗髪者が不快感や苦痛を感じることなく快適な洗髪姿勢で洗髪を受けることができる。
【発明を実施するための最良の形態】
【０００９】
以下、本発明の一実施の形態を添付した図面を参照して説明する。
図１及び図２において、１は洗髪ボール（シャンプーボール）にして、該洗髪ボール１は、被洗髪者の頸部及び髪を受け入れる洗髪用凹所３を備え、その周囲を周囲壁５により囲って形成されている。該洗髪ボール１における被洗髪者の首後ろ部を載せる部位（周囲壁５）には凹み部１１が形成されており、周囲壁５の反対側の縁には平坦部１２が形成され、この平坦部１２には、ホースが引き出し自在に取り付けられたシャワーヘッド１３と、止水摘み１４とが配置されている。１５は排水口である。
【００１０】
上記凹み部１１は、一般的な被洗髪者の首後ろ部と略等しい幅で、周囲壁５の前側に横長に延在し、図１に示すように、凹み部１１の中央が最も深くなるように湾曲して形成されている。この凹み部１１の部位を含めて、図２に示すように、周囲壁５は、所定の肉厚の壁面部５ａで囲った中空状に形成されている。
【００１１】
上記凹み部１１には、被洗髪者の首後ろ部を載せる頸部支持部材２１と、この頸部支持部材２１及び凹み部１１との間に設けられ、この凹み部１１に対して上方に付勢されるコイルスプリング（ばね部材）２２とが配置されている。
すなわち、この凹み部１１の底面部１１ａには、コイルスプリング２２を支持する一対のスリーブ（座）２３が左右対称に設けられている。
このスリーブ２３は、図２に示すように、上端開口の筒状のばね受け部２３ａと、底面部１１ａに形成した孔１１ｂに嵌る支持部２３ｂとを備え、この支持部２３ｂに抜け止め２３ｃを設けて形成されている。
【００１２】
各ばね受け部２３ａの上端開口には、各コイルスプリング２２の下端部が挿入されて支持されており、コイルスプリング２２の上端部は、頸部支持部材２１の内下面に当接されている。この頸部支持部材２１は、断面が略Ｕ字状に形成されており、被洗髪者の首後ろ部を載せる載せ部２１ａの肉厚が厚くなっており、この載せ部２１ａは、例えばジェルや発泡材等のクッション材をウレタン等で覆って形成されていてもよい。
上記載せ部２１ａの内上面は平坦面２１ｂであり、この平坦面２１ｂには円形中空状の凹所（座）２１ｃが形成され、この凹所２１ｃに対して、上記コイルスプリング２２の上端部が挿入されて支持されている。
この凹所２１ｃの内部には、スリーブ２３を構成する筒状のばね受け部２３ａが摺動自在になっており、通常時は、ばね受け部２３ａの上端が凹所２１ｃの内部に僅かに嵌り、これによって、例えば頸部支持部材２１が傾かないように、スリーブ２３と頸部支持部材２１とが相対変位自在に連結されている。
【００１３】
上記頸部支持部材２１の下面には下端開口のＵ字溝部２１ｄが形成されており、このＵ字溝部２１ｄの内側に、凹み部１１の底面部１１ａを延在させるように、頸部支持部材２１が凹み部１１に取り付けられている。この構成によると、例えばハンドシャワーを用いての洗髪時に、洗髪ボール１の凹み部１１周囲を抜けて、洗髪ボールの外側に温水が滴り落ちることがないといった効果が得られる。
【００１４】
この実施の形態では、例えば椅子の背凭れを伏倒して、被洗髪者の頸部を頸部支持部材２１に位置させると、被洗髪者の頭部の重みに応じて各コイルスプリング２２が伸縮し、これによって、頸部支持部材２１が上下する。この上下の動作範囲は、例えば図１に示す実線の位置と破線の位置との間になる。この上下によって、頸部支持部材２１は首後ろ部にフィットした状態となるので、被洗髪者が不快感や苦痛を感じることなく快適な洗髪姿勢で洗髪を受けることが可能となる。
各コイルスプリング２２のばね力は、被洗髪者の頸部を載せた状態で該頸部を安定的に支持するばね力に設定され、少なくとも各コイルスプリング２２が、縮みきってしまうことがないように設定することが望ましい。
例えばハンドシャワーで洗髪する場合、被洗髪者の頭部を手で支持して行うが、各コイルスプリング２２のばね力は、頭部から手を離しても該頸部を十分支持できる程度の大きさのばね力が必要なことは云うまでもない。また、左右一対のコイルスプリング２２のばね力は、左右均等に設定することが望ましい。
ここで、ばね部材としては、コイルスプリング２２に限定されず、適宜のストロークと伸縮力を有した、ばね部材であればよく、また、配置の個数も２個に限定されず、３個以上であってもよい、ことは云うまでもない。
【００１５】
この実施の形態では、背凭れに当たる部分と首後ろ部との間の高低差に個人差があった場合であっても、頸部支持部材２１がコイルスプリング２２のばね力に抗して沈み込む、あるいは浮上するため、高低差や個人差があっても頸部支持部材２１は頸部に安定的にフィットし、被洗髪者が不快感や苦痛を感じることなく、快適な洗髪姿勢で洗髪を受けることが可能となる。
【００１６】
図３は、別の実施の形態を示す。
この実施の形態では、洗髪ボール１の凹み部１１が、略矩形状に上端開口した切り欠き部３１で形成され、この切り欠き部３１には、頸部支持部材４１がほぼ完全な水封状態とされて配置されている。この切り欠き部３１の底部３１Ｃには、一対のスリーブ（座）３３が立設されており、それぞれのスリーブ３３内にはコイルスプリング（ばね部材）３５の下端が挿入され配置されている。
【００１７】
頸部支持部材４１は樹脂製であり、図３Ｂ，Ｃ，Ｄに示すように、上部に被洗髪者の首を受ける首受け部４１Ａがあり、この首受け部４１Ａにはクッション性を有する素材が使用されている。頸部支持部材４１の両側面には上下に延びた溝部４１Ｂがあり、この溝部４１Ｂには、切り欠き部３１の側部３１Ｄが水封状態で嵌っている。
また、頸部支持部材４１には一対の袋穴（座）４１Ｃが形成されており、これらの袋穴４１Ｃにはスリーブ３３が摺動自在に嵌り、このスリーブ３３で支持したコイルスプリング３５の先端が、袋穴４１Ｃの穴底４１Ｄに当接している。
また、頸部支持部材４１の下部には、横に延びた溝部４１Ｅがあり、この溝部４１Ｅには、切り欠き部３１の底部３１Ｃが水封状態で嵌っている。
【００１８】
本実施の形態においても、例えば椅子の背凭れを伏倒して被洗髪者の頸部を頸部支持部材４１に位置させると、被洗髪者の頭部の重みに応じて各コイルスプリング３５が伸縮し、これによって頸部支持部材４１が上下する。この上下によって、頸部支持部材４１は首後ろ部にフィットした状態となるので、被洗髪者が不快感や苦痛を感じることなく快適な洗髪姿勢で洗髪を受けることが可能となる。
各コイルスプリング３５のばね力は、被洗髪者の頸部を載せた状態で該頸部を安定的に支持するばね力に設定され、少なくとも各コイルスプリング３５が、縮みきってしまうことがないように設定することが望ましい。
例えばハンドシャワーで洗髪する場合、被洗髪者の頭部を手で支持して行うが、各コイルスプリング３５のばね力は、頭部から手を離しても該頸部を十分支持できる程度の大きさのばね力が必要なことは云うまでもない。また、左右一対のコイルスプリング３５のばね力は、左右均等に設定することが望ましい。
【００１９】
以上、一実施の形態に基づいて本発明を説明したが、本発明は、これら形態に限定されるものではなく、種々の形態変更が可能である。
【図面の簡単な説明】
【００２０】
【図１】本発明に係る洗髪ボール装置の一実施例を示す斜視図である。
【図２】同上の断面図である。
【図３】別の実施の形態を示す図であり、Ａは切り欠き部を示す正面図、Ｂは頸部支持部材の正面図、Ｃは図３ＢのＣ−Ｃ断面図、Ｄは側面図である。
【符号の説明】
【００２１】
１  洗髪ボール
５  周囲壁
１１  凹み部
２１ｃ  凹所（座）
２２  コイルスプリング（ばね部材）
２３  スリーブ（座）
３１  切り欠き部（凹み部）
３３  スリーブ（座）
３５  コイルスプリング（ばね部材）
４１  頸部支持部材
４１Ｃ  袋穴（座）
【図１】
2010178980.tif 000003
【図２】
2010178980.tif 000004
【図３】
2010178980.tif 000005